(57)【特許請求の範囲】
【請求項１】
下面に陰極、外周面に陽極を有する釦形の電池と、この電池を凹状の収納部に収納すると共に、この収納部に上記電池の上面の一部を覆う保持部が設けられた絶縁樹脂製の保持体と、上記電池の下面に陰極接部が弾接した弾性金属薄板製の陰極端子と、中間の折曲部からアーム部が延出し、このアーム部先端の陽極接部が上記電池の外周面に弾接すると共に、上記陽極端子のアーム部に上記電池の上面に当接する係止部を形成した弾性金属薄板製の陽極端子からなり、上記電池の装着時に、上記アーム部や係止部が傾斜した状態で装着できるように、上記陽極端子の折曲部を傾倒可能とすると共に、上記電池の取外し時に、上記アーム部を広げて上記係止部が上記電池上面から外れるように上記アーム部が移動可能に、上記収納部の内側壁と上記アーム部の間に所定の空隙部を設けた電池ホルダー。
【請求項２】
陽極端子中間の折曲部に、電池の外周面に当接する当接部を設けた請求項１記載の電池ホルダー。
【請求項３】
陽極端子のアーム部に、上方に突出する突起部を設けた請求項１記載の電池ホルダー。
【請求項４】
陰極端子の陰極接部を、陽極端子の係止部の下方近傍に設けた請求項１記載の電池ホルダー。
【発明の詳細な説明】
【０００１】
【発明の属する技術分野】
本発明は、自動車の扉の施錠や解錠を遠隔操作する携帯用の送信機等に用いられ、釦形の電池を保持する電池ホルダーに関するものである。
【０００２】
【従来の技術】
近年、携帯用の送信機等には小型で軽量なリチウム電池等の釦形の電池が多く用いられ、この電池を保持する電池ホルダーには、電池が消耗した際に容易に交換が可能なものが求められている。
【０００３】
このような、従来の電池ホルダーについて、図７〜図１０を用いて説明する。
【０００４】
図７は従来の電池ホルダーの平面図、図８は同断面図であり、同図において、１はリチウム電池等の釦形の電池で、下面には陰極１Ａ、上面及び外周面には陽極１Ｂが形成されている。
【０００５】
そして、２は絶縁樹脂製の保持体で、凹状に形成された楕円形の収納部２Ａ内に電池１が収納されると共に、収納部２Ａ外周には電池１の上面の一部を覆う二つの保持部２Ｂが設けられ、保持部２Ｂの間には収納部２Ａから延出した切欠部２Ｃが形成されている。
【０００６】
また、保持部２Ｂの反対側には蓋部２Ｄが形成され、この蓋部２Ｄが保持部２Ｂと同様に電池１の上面の一部を覆っている。
【０００７】
そして、３は弾性金属薄板製の陰極端子、４は同じく弾性金属薄板製の陽極端子で、陰極端子３のやや上方に折曲げられた陰極接部３Ａが電池１下面の陰極１Ａに弾接すると共に、陽極端子４中間の折曲部４Ａからはアーム部４Ｂが略Ｖ字状に延出し、このアーム部４Ｂ先端の陽極接部４Ｃが電池１外周面の陽極１Ｂに弾接している。
【０００８】
従って、電池１は、下面の陰極１Ａを陰極端子３の陰極接部３Ａによって上方に付勢されているが、上面が保持体２の保持部２Ｂと蓋部２Ｄの下面に弾接して、上方に飛出さないように係止されると共に、外周面を陽極端子４のアーム部４Ｂによって切欠部２Ｃ側に付勢されて、保持体２の収納部２Ａ内に収納保持されている。
【０００９】
また、５は上下面に複数の配線パターン（図示せず）が形成された配線基板で、この配線基板５が保持体２の下方に固定されると共に、陰極端子３や陽極端子４が配線基板５上面の配線パターンに接続固定されて、電池ホルダーが構成されている。
【００１０】
そして、陰極端子３や陽極端子４と電気的に接続された配線基板５下面の配線パターンには、押釦スイッチ６や抵抗、コンデンサ等の電子部品が装着されると共に、これらを筐体（図示せず）が覆って送信機が構成され、押釦スイッチ６の押圧操作によって、外部の受信機（図示せず）に電気信号を送信するように構成されている。
【００１１】
以上の構成において、電池１を保持体２に装着する場合には、図９（ａ）の断面図に示すように、電池１を保持部２Ｂ側から上面を蓋部２Ｄ下面に当接させ傾斜させた状態で、外周面によって陽極端子４のアーム部４Ｂを広げながら収納部２Ａに挿入する。
【００１２】
そして、図９（ｂ）に示すように、電池１の左外周面を保持部２Ｂ内端面に当接させながら、さらに押込むと、図９（ｃ）に示すように、電池１は陽極端子４のアーム部４Ｂをさらに広げながら右方向に移動して、蓋部２Ｄ下面奥の位置で一旦収納部２Ａ内に収納される。
【００１３】
この後、電池１から手を離すと、外周面に弾接した陽極端子４のアーム部４Ｂの付勢力によって、電池１が左方向の切欠部２Ｃ側に移動して収納部２Ａ内側壁に弾接し、図８に示したような、上面が保持体２の保持部２Ｂと蓋部２Ｄの下面に弾接して、陰極端子３の陰極接部３Ａの付勢力によって上方に飛出さないように係止され、収納部２Ａ内に収納保持された状態となる。
【００１４】
また、電池１を保持体２から取外す場合には、図１０の断面図に示すように、ドライバー等の工具を保持体２の切欠部２Ｃに挿入し、電池１の左外周面を右方向に押圧して、左外周面が保持部２Ｂから外れる位置まで移動させると、陰極端子３の陰極接部３Ａの付勢力によって、電池１が上方に外れるように構成されているものであった。
【００１５】
【発明が解決しようとする課題】
しかしながら上記従来の電池ホルダーにおいては、電池１を保持体２へ着脱する際、電池１を傾斜させた状態で挿入した後蓋部２Ｄ下面奥まで押込んだり、あるいは工具等によって電池１を移動させて着脱を行っているため、着脱しづらく手間がかかるという課題があった。
【００１６】
本発明は、このような従来の課題を解決するものであり、容易に電池の着脱が行える電池ホルダーを提供することを目的とする。
【００１７】
【課題を解決するための手段】
上記目的を達成するために本発明は、以下の構成を有するものである。
【００１８】
本発明の請求項１に記載の発明は、下面に陰極、外周面に陽極を有する釦形の電池と、この電池を凹状の収納部に収納すると共に、この収納部に上記電池の上面の一部を覆う保持部が設けられた絶縁樹脂製の保持体と、上記電池の下面に陰極接部が弾接した弾性金属薄板製の陰極端子と、中間の折曲部からアーム部が延出し、このアーム部先端の陽極接部が上記電池の外周面に弾接すると共に、上記陽極端子のアーム部に上記電池の上面に当接する係止部を形成した弾性金属薄板製の陽極端子からなり、上記電池の装着時に、上記アーム部や係止部が傾斜した状態で装着できるように、上記陽極端子の折曲部を傾倒可能とすると共に、上記電池の取外し時に、上記アーム部を広げて上記係止部が上記電池上面から外れるように上記アーム部が移動可能に、上記収納部の内側壁と上記アーム部の間に所定の空隙部を設けた電池ホルダーを構成したものであり、電池装着時には、収納部の保持部側から、電池を傾け陽極端子の係止部の下面に当接させて挿入すると、陽極端子の折曲部が右方向に傾くため、アーム部や係止部が傾斜した状態で、収納部内に収納することができ、電池から手を離すと、陽極電極の折曲部がもとに戻ると同時に、アーム部の付勢力によって保持体の保持部と陽極端子の係止部の下面に弾接して収納部内に収納保持される。また、電池取外し時には、アーム部を空隙部の方向へ広げることにより、係止部が電池上面から外れて、電池が上方に傾いて浮き上がり外れるため、簡素な構成で電池の着脱が容易な電池ホルダーを得ることができるという作用を有する。
【００１９】
請求項２に記載の発明は、請求項１記載の発明において、陽極端子中間の折曲部に、電池の外周面に当接する当接部を設けたものであり、当接部が電池の外周面に当接しているため、電池ホルダーに振動や衝撃が加わった場合でも、電池を保持体に安定して保持できるという作用を有する。
【００２０】
請求項３に記載の発明は、請求項１記載の発明において、陽極端子のアーム部に、上方に突出する突起部を設けたものであり、この突起部を摘みアーム部を広げて電池を取外すことができるため、電池の取外しを容易に行うことができるという作用を有する。
【００２１】
請求項４に記載の発明は、請求項１記載の発明において、陰極端子の陰極接部を、陽極端子の係止部の下方近傍に設けたものであり、電池を保持体から取外す際、電池が陰極接部に付勢されて係止部方向に浮き上り易くなるため、電池の取外しがさらに容易になるという作用を有する。
【００２２】
【発明の実施の形態】
以下、本発明の実施の形態について、図１〜図６を用いて説明する。
【００２３】
なお、従来の技術の項で説明した構成と同一構成の部分には同一符号を付して、詳細な説明を省略する。
【００２４】
（実施の形態１）
図１は本発明の一実施の形態による電池ホルダーの平面図、図２は同断面図、図３は同要部外観斜視図であり、同図において、１はリチウム電池等の釦形の電池で、下面には陰極１Ａ、上面及び外周面には陽極１Ｂが形成されている。
【００２５】
そして、１２は絶縁樹脂製の保持体で、凹状に形成された収納部１２Ａ内に電池１が収納されると共に、収納部１２Ａ左端外周には電池１の上面の一部を覆う保持部１２Ｂが設けられ、上面には電池１の装着方向を表わすマーキング１２Ｃ、及び電池１の取外し方向を表わすマーキング１２Ｄが印刷または刻印等によって表示されている。
【００２６】
また、１３は略Ｙ字状の弾性金属薄板製の陰極端子、１４は同じく弾性金属薄板製の陽極端子で、陰極端子１３のやや上方に折曲げられた二つの陰極接部１３Ａが電池１下面の陰極１Ａに弾接すると共に、陽極端子１４中間の折曲部１４Ａからはアーム部１４Ｂが略Ｖ字状に延出し、このアーム部１４Ｂ先端の陽極接部１４Ｃが電池１外周面の陽極１Ｂに弾接している。
【００２７】
さらに、陽極端子１４のアーム部１４Ｂには、陽極接部１４Ｃ上方でＬ字状に折曲げられて電池１の上面に当接した係止部１４Ｄが形成されると共に、下側のアーム部１４Ｂには、陽極接部１４Ｃ近傍に上方に突出した突起部１４Ｅが設けられ、陽極端子１４中間の折曲部１４Ａには、略コの字状に折曲げられ電池１の外周面に当接した当接部１４Ｆが設けられている。
【００２８】
また、保持体１２の収納部１２Ａの、陽極端子１４の下側のアーム部１４Ｂ近傍には空隙部１２Ｅが設けられ、陰極端子１３の右側の陰極接部１３Ａは、陽極端子１４の係止部１４Ｄ下方近傍の陰極１Ａに弾接している。
【００２９】
従って、電池１は、下面の陰極１Ａを陰極端子１３の陰極接部１３Ａによって上方に付勢されているが、上面が保持体１２の保持部１２Ｂと陽極端子１４の係止部１４Ｄの下面に弾接して、上方に飛出さないように係止されると共に、外周面を陽極端子１４のアーム部１４Ｂによって保持部１２Ｂ側に付勢されて、保持体１２の収納部１２Ａ内に収納保持されている。
【００３０】
また、５は上下面に複数の配線パターン（図示せず）が形成された配線基板で、この配線基板５が保持体１２の下方に固定されると共に、陰極端子１３や陽極端子１４が配線基板５上面の配線パターンに接続固定されて、電池ホルダーが構成されている。
【００３１】
そして、陰極端子１３や陽極端子１４と電気的に接続された配線基板５下面の配線パターンには、押釦スイッチ６や抵抗、コンデンサ等の電子部品が装着されると共に、これらを筐体（図示せず）が覆って送信機が構成され、押釦スイッチ６の押圧操作によって、外部の受信機（図示せず）に電気信号を送信するように構成されている。
【００３２】
以上の構成において、電池１を保持体１２に装着する場合には、図４（ａ）の断面図に示すように、装着方向のマーキング１２Ｃが表示された保持部１２Ｂ側から、電池１を傾け上面を陽極端子１４の係止部１４Ｄの下面に当接させて、外周面によって陽極端子１４のアーム部１４Ｂを広げながら収納部１２Ａに挿入する。
【００３３】
そして、電池１が収納部１２Ａ内にある程度挿入されると、図４（ｂ）に示すように、陽極端子１４の折曲部１４Ａが右方向に傾くため、アーム部１４Ｂや係止部１４Ｄが上方向に傾斜した状態で、電池１は右外周面が陽極端子１４の当接部１４Ｆに当接するまで、右方向に移動して収納部１２Ａ内に収納される。
【００３４】
この後、電池１から手を離すと、陽極端子１４の折曲部１４Ａがもとに戻ると同時に、外周面に弾接したアーム部１４Ｂの付勢力によって、電池１が左方向に移動して収納部１２Ａ内側壁に弾接し、図４（ｃ）に示すような、電池１の上面が保持体１２の保持部１２Ｂと陽極端子１４の係止部１４Ｄの下面に弾接して、陰極端子１３の陰極接部１３Ａの付勢力によって上方に飛出さないように係止され、収納部１２Ａ内に収納保持された状態となる。
【００３５】
また、電池１を保持体１２から取外す場合には、図５の平面図及び図６の断面図に示すように、陽極端子１４の下側のアーム部１４Ｂ、またはこの陽極接部１４Ｃ近傍の突起部１４Ｅを摘んで、空隙部１２Ｅ内をマーキング１２Ｄが表示された取外し方向に移動させると、電池１上面から陽極端子１４の係止部１４Ｄが外れるため、陰極端子１３の陰極接部１３Ａの付勢力によって、電池１が上方に傾いて浮き上がり外れるように構成されている。
【００３６】
このように本実施の形態によれば、先端の陽極接部１４Ｃが電池１の外周面に弾接する陽極端子１４のアーム部１４Ｂに、電池１の上面に当接する係止部１４Ｄを形成して電池ホルダーを構成することによって、アーム部１４Ｂの係止部１４Ｄに電池１の上面を当接させて、電池１を保持体１２の収納部１２Ａ内に収納保持しているため、簡素な構成で電池の着脱が容易な電池ホルダーを得ることができるものである。
【００３７】
そして、陽極端子１４中間の折曲部１４Ａに、電池１の外周面に当接する当接部１４Ｆを設けることによって、電池ホルダーに振動や衝撃が加わった場合にも、当接部１４Ｆが電池１の外周面に当接しているため、電池１を保持体１２に安定して保持することができる。
【００３８】
また、陽極端子１４のアーム部１４Ｂに、上方に突出する突起部１４Ｅを設けることによって、突起部１４Ｅを摘みアーム部１４Ｂを広げて電池１を取外すことができるため、電池１の取外しをより容易に行うことができる。
【００３９】
さらに、陰極端子１３の右側の陰極接部１３Ａを、陽極端子１４の係止部１４Ｄの下方近傍に設けることによって、電池１を保持体１２から取外す際、電池１が陰極接部１３Ａに付勢されて係止部１４Ｄ方向に浮き上がり易くなるため、電池１の取外しをさらに容易なものとすることができる。
【００４０】
なお、以上の説明では、陽極端子１４中間の折曲部１４Ａからアーム部１４Ｂを略Ｖ字状に延出し、この二つのアーム部１４Ｂに、電池１の上面に当接する係止部１４Ｄを各々形成した構成について説明したが、電池１の保持力は低下するが、アーム部１４Ｂを一つとしたり、或いはアーム部１４Ｂの一方にのみ係止部１４Ｄを形成する構成としても、本発明の実施は可能である。
【００４１】
【発明の効果】
以上のように本発明によれば、簡素な構成で電池の着脱が容易な電池ホルダーを得ることができるという有利な効果が得られる。
【図面の簡単な説明】
【図１】本発明の一実施の形態による電池ホルダーの平面図
【図２】同断面図
【図３】同要部外観斜視図
【図４】同電池装着時の断面図
【図５】同電池取外し時の平面図
【図６】同電池取外し時の断面図
【図７】従来の電池ホルダーの平面図
【図８】同断面図
【図９】同電池装着時の断面図
【図１０】同電池取外し時の断面図
【符号の説明】
１  電池
１Ａ  陰極
１Ｂ  陽極
５  配線基板
６  押釦スイッチ
１２  保持体
１２Ａ  収納部
１２Ｂ  保持部
１２Ｃ，１２Ｄ  マーキング
１２Ｅ  空隙部
１３  陰極端子
１３Ａ  陰極接部
１４  陽極端子
１４Ａ  折曲部
１４Ｂ  アーム部
１４Ｃ  陽極接部
１４Ｄ  係止部
１４Ｅ  突起部
１４Ｆ  当接部
【図１】
0003826681.tif 000002
【図２】
0003826681.tif 000003
【図３】
0003826681.tif 000004
【図４】
0003826681.tif 000005
【図５】
0003826681.tif 000006
【図６】
0003826681.tif 000007
【図７】
0003826681.tif 000008
【図８】
0003826681.tif 000009
【図９】
0003826681.tif 000010
【図１０】
0003826681.tif 000011